(57)【要約】【課題】剪定鋏の軽量化を図り、アームを握り易い形状にして、使用の際の繊細な刃の動きを可能にする農工具用握り部構造を提供することにある。【解決手段】長手方向に沿って切欠部が形成され該切欠部の底壁面に複数の取付用小孔が配設された金属製のアーム本体３と、取付用小孔に挿入状となって抜け止めされる複数の差込小突起を有し且つ底壁面に沿った形状の樹脂製内層部材２と、樹脂製内層部材２と一体化されたすべり止め用外層部材１と、を備える。そして、差込小突起を複数の取付用小孔に挿嵌する。【選択図】　図８
2004081135.tif 000002
【特許請求の範囲】
【請求項１】
長手方向に沿って切欠部（１６）が形成され該切欠部（１６）の底壁面（２２）に開口するように複数の取付用小孔（５）が形成された金属製のアーム本体（３）と、上記取付用小孔（５）に挿入状となって抜け止めされる複数の差込小突起（７）を有し且つ該底壁面（２２）に沿った形状の樹脂製内層部材（２）と、該樹脂製内層部材（２）と一体化されたすべり止め用外層部材（１）と、を具備することを特徴とする農工具用握り部構造。
【請求項２】
上記底壁面（２２）はその長手方向に沿って突条部（１７）を有し、上記樹脂製内層部材（２）は該突条部（１７）に外嵌する嵌込み凹部（１８）を有する請求項１記載の農工具用握り部構造。
【請求項３】
上記アーム本体（３）の基端側（３ａ）と先端側（３ｂ）には切欠部（１６）を省略して段付状引っ掛かり部（２３），（２４）を形成し、該引っ掛かり部（２３），（２４）に嵌着したカバー部材（１９）の基端部（１９ａ）と先端部（１９ｂ）を当接させ、カバー部材（１９）を嵌着しても上記基端側（３ａ）、先端側（３ｂ）にずれないように構成した請求項１又は２記載の農工具用握り部構造。
【請求項４】
上記アーム本体（３）がアルミダイキャスト製である請求項１，２又は３記載の農工具用握り部構造。
【発明の詳細な説明】
【０００１】
【発明の属する技術分野】
本発明は、農工具用握り部構造に関する。
【０００２】
【従来の技術】
従来の農工具用として、例えば剪定鋏に於て、その握り部は、すべり止め用のゴム部材でアーム本体の周囲を覆っている構造か、あるいはアーム本体に全くゴム部材を用いないものが一般的であった。
【０００３】
【発明が解決しようとする課題】
しかしながら、この従来の（剪定鋏の）握り部の構造は、ゴムで覆われている場合は不要に太くなるため握り易い形状になっているとは言い難く、また、ゴム部材を用いていないものは握った際にすべり易く、共に繊細な切り方をするのに不都合な点があった。
【０００４】
そこで、本発明は、剪定鋏の軽量化を図り、アームを握り易い形状にして、使用の際の繊細な刃の動きを可能とする農工具用握り部構造を提供することを目的とする。
【０００５】
【課題を解決するための手段】
上述の目的を達成するために、本発明に係る農工具用握り部構造は、長手方向に沿って切欠部が形成され該切欠部の底壁面に開口するように複数の取付用小孔が形成された金属製のアーム本体と、上記取付用小孔に挿入状となって抜け止めされる複数の差込小突起を有し且つ該底壁面に沿った形状の樹脂製内層部材と、該樹脂製内層部材と一体化されたすべり止め用外層部材と、を具備するよう構成したものである。
【０００６】
さらに、上記底壁面はその長手方向に沿って突条部を有し、上記樹脂製内層部材は該突条部に外嵌する嵌込み凹部を有するように構成したものである。
また、上記アーム本体の基端側と先端側には切欠部を省略して段付状引っ掛かり部を形成し、該引っ掛かり部に嵌着したカバー部材の基端部と先端部を当接させ、カバー部材を嵌着しても上記基端側、先端側にずれないように構成したものである。
また、上記アーム本体がアルミダイキャスト製であるよう構成したものである。
【０００７】
【発明の実施の形態】
以下、実施の形態を示す図面に基づき、本発明を詳説する。
【０００８】
図１は、本発明の農工具用握り部構造の実施の一形態を示し、農工具として剪定鋏の場合を例示する。本発明に於て、農工具とは園芸用作業工具を含むものと定義する。そしてこの剪定鋏は、握り部であるアーム本体３，４と、夫々のアーム本体３，４の長手方向の延長上に固着された第１鋏刃１４，第２鋏刃１５と、上記２個の刃１４，１５の基端部側を枢着して開閉可能とする枢支軸１２と、上記の２本のアーム本体３，４が開方向に弾発付勢する弾発ばね９と、上記のアーム本体３，４を閉じたときのストッパーとなる開き止めフック８と、上記アーム本体３，４を閉じたときに閉状態の位置を規制する第１，第２突起１０，１１等、を備えている。
【０００９】
図２〜図５はアーム本体３の具体的構成を例示し、このアーム本体３は、図２の側面図のように長手方向に沿って切欠部１６を形成し、この切欠部１６の底壁面２２は側面から見て緩やかな湾曲状となっている。該底壁面２２は図５の横断面図に示すように、突条部１７を有し、長手方向に沿って複数個の取付用小孔５ａ〜５ｃを配設している。該取付用小孔５ａ〜５ｃの位置は該アーム本体３の幅方向の中心線上に沿って長手方向に所定ピッチで一列に配設され、且つ、取付用小孔５ａ，５ｂ，５ｃの軸心は相互に平行に配設されている。さらに該アーム本体３は基端側３ａに第１鋏刃１４を取付ネジ１３（図１参照）にて固着するための取付孔２１，２１を有し、先端側３ｂに本体アーム３を閉じた状態を保つための開き止めフック８を有している。
【００１０】
図２のアーム本体３の側面図に於て、基端側３ａと先端側３ｂには切欠部１６を省略して段付状引っ掛かり部（ストッパ部）２３，２４を形成している。突条部１７にカバー部材１９を外嵌したとき、該引っ掛かり部（ストッパ部）２３，２４に対して基端部１９ａ・先端部１９ｂが当接し、規制され、該カバー部材１９が長手方向にずれない構造となっている（図８参照）。
【００１１】
また、図５のアーム本体３の横断面図に於て、突条部１７は、横断面山型形状となっているので、図９のように、カバー部材１９を外嵌すれば、左右側方向にずれない構造となっている。
【００１２】
また、上記アーム本体３はアルミダイキャスト製とするのが好ましい。アルミダイキャストとすれば小孔５ａ，５ｂ，５ｃをダイキャスト成型と同時に形成できて好都合であり、且つ比較的軽量化できる。さらに強固なうえ、耐久性に優れる。
【００１３】
図６の側面図と、図７の横断面図に於て、樹脂製内層部材２とすべり止め用外層（エラストマー）部材１を一体化したカバー部材１９を示す。具体的に説明すると、樹脂製内層部材２は、アーム本体３の底壁面２２に当接するように切欠部１６に嵌着される嵌込み凹部１８を有する横断面倒立略Ｕ字形に射出成形された薄い硬質合成樹脂で、長手方向に緩やかに湾曲状となっており、且つ嵌込み凹部１８内に複数の差込小突起７ａ〜７ｃを有す。また、差込小突起７の外径は取付用小孔５の内径より、（　０．４〜　１．２ｍｍ）大きく設定され、差込小突起７を取付用小孔５に圧入状に差し込むことによって抜けない構造となっている。
【００１４】
また、すべり止め用外層部材１は、横断面倒立略Ｕ字状であって、内層部材２の外面に被覆状に外嵌され、一体化されている。つまり、先に内層部材２を硬質合成樹脂にて成形し、次に、金型内にこの内層部材２を設置して、エラストマー又は軟質合成樹脂の材料を射出成形や圧縮成形等によって、一体化し、もってカバー部材１９を形成する。言い換えると、内層部材２の外表面２０に一体状に外層部材１が積層される。さらに図７の断面図に示すように、樹脂製内層部材２の両端が外方に折曲がった鍔部２ａ，２ｂを有すると共に、外層部材１の両端縁１ａ，１ｂがこの鍔部２ａ，２ｂに当接する。図６の側面図のとおり、長手方向に沿って、樹脂製内層部材２の鍔部２ａ，２ｂを見ることが出来る。従って、内層部材２と外層部材１の色彩（色相）を相違せしめて、意匠的な美しさを施すことも容易となる。
【００１５】
図８の側面図と図９の横断面図に於て、樹脂製内層部材２の差込小突起７を上記アーム本体３の取付用小孔５に挿嵌して組み立てた状態を示す。樹脂製内層部材２の複数差込小突起７の径が上記アーム本体３の取付用小孔５より大きいので差込小突起７を取付用小孔５に圧入すれば抜けない。また、アーム本体３を握る外力が複数差込小突起７を取付用小孔５へ押込む方向へ働くので、分離しない合理的な構造となっている。
【００１６】
なお、樹脂製内層部材２の複数の差込小突起７をアーム本体３の取付用小孔５に挿嵌した後に、該差込小突起７の先端を外圧力を加えて、又は熱圧でつぶして、膨出状としてさらに抜けにくい構造としてもよい。
【００１７】
また、本発明は上述の実施の形態に限定されず、例えば、すべり止め用外層部材１と樹脂製内層部材２が、両アーム本体３，４共に取り付けられる構造とするのも自由である。そして、剪定鋏の他に、各種の（園芸用作業工具を含む）農工具の握り部に適用自由である。
【００１８】
【発明の効果】
本発明は上述の如く構成されるので、次に記載する効果を奏する。
【００１９】
（請求項１又は２によれば）樹脂製内層部材２とすべり止め用外層部材１が一体化された構造であるのでアーム本体３に比較的軟かいすべり止め用外層部材１であっても強固に取り付けることが可能となる。また、複数の差込小突起７ａ〜７ｃを該アーム本体３の取付用小孔５ａ〜５ｃに差し込む構造なのでアーム本体３への取付作業が迅速に且つ容易に出来、離脱しない方向に握る外力が加わるので、長い使用期間に対して長寿命である。また、握り部の外表面側に硬度の低いすべり止め用外層部材１を使用することで、握り易い形状に加工し易くなり、また（すべり止め用外層部材１をアーム本体３の周囲全体に被せていないため）握り部が不要に太くならないので繊細な鋏の使用が可能となる。また、握り部を側面から見た場合に内層部材２と外層部材１を２色の色分けとすることも容易で、意匠的な変化を出し易く、デザインの自由度が広がる。
（請求項２によれば）カバー部材１９が幅方向に位置づれせず、長寿命である。
（請求項３によれば）カバー部材１９を外嵌したとき、アーム本体３の基端側３ａと先端側３ｂに於て、確実に位置が規制できて一層長寿命となる。
（請求項４によれば）アーム本体３をアルミダイキャストにすることで製作が容易になり、例えば取付用小孔５を成型と同時に形成でき、また軽量化することができる。
【図面の簡単な説明】
【図１】本発明の実施の一形態である握り部を備えた剪定鋏の側面図である。
【図２】すべり止め用外層部材と樹脂製内層部材を取り付ける前のアーム本体の側面図である。
【図３】すべり止め用外層部材と樹脂製内層部材を取り付ける前のアーム本体の平面図である。
【図４】すべり止め用外層部材と樹脂製内層部材を取り付ける前のアーム本体の底面図である。
【図５】図４におけるＡ−Ａ断面図である。
【図６】すべり止め用外層部材と樹脂製内層部材を一体成形して組み立てたカバー部材の側面図である。
【図７】図６のＢ−Ｂ断面図である。
【図８】カバー部材をアーム本体に嵌着した側面図である。
【図９】図８のＣ−Ｃ断面図である。
【符号の説明】
１　すべり止め用外層部材
２　樹脂製内層部材
３　アーム本体
３ａ　基端側
３ｂ　先端側
５　取付用小孔
７　差込小突起
１６　切欠部
１７　突条部
１８　嵌込み凹部
１９　カバー部材
１９ａ　基端部
１９ｂ　先端部
２２　底壁面
２３　引っ掛かり部
２４　引っ掛かり部
【図１】
2004081135.tif 000003
【図２】
2004081135.tif 000004
【図３】
2004081135.tif 000005
【図４】
2004081135.tif 000006
【図５】
2004081135.tif 000007
【図６】
2004081135.tif 000008
【図７】
2004081135.tif 000009
【図８】
2004081135.tif 000010
【図９】
2004081135.tif 000011